(57)【要約】【課題】可搬型コンソールの代わりに携帯端末を用いる放射線画像撮影システムにおいて、通信ネットワークから切り離された環境下であっても、被写体の高精度のポジショニングや、撮影後の効率的な画像確認を可能とする。【解決手段】放射線画像撮影システム１００を構成する放射線画像撮影装置２は、外部から入力された撮影オーダー情報及び読み出し部２３が生成した画像データを記憶する記憶部２５と、画像データを外部端末３に送信することが可能であるとともに、外部端末３からの要求に応じて、撮影オーダー情報を外部端末３に送信する通信手段２１，２４と、を備える。【選択図】図５
2019017626.tif 000002
【特許請求の範囲】
【請求項１】
放射線を受けることで放射線の線量に応じた量の電荷を発生させる複数の放射線検知素子が二次元状に配列された基板を有する放射線検知部と、
前記複数の放射線検知素子がそれぞれ発生させた電荷量を信号値として読み出し、各信号値に基づいて画像データを生成する読み出し部と、
外部から入力された撮影オーダー情報及び前記読み出し部が生成した前記画像データを記憶する記憶部と、
前記画像データを外部端末に送信することが可能であるとともに、前記外部端末からの要求に応じて、前記撮影オーダー情報を前記外部端末に送信する通信手段と、を備えることを特徴とする放射線画像撮影装置。
【請求項２】
前記記憶部は、同一の被写体を過去に撮影した際に得られた過去画像データを記憶することが可能であり、
前記通信手段は、前記外部端末からの要求に応じて、前記撮影オーダー情報、前記画像データ、前記過去画像データのうちの少なくとも１つを前記外部端末に送信することが可能であることを特徴とする請求項１に記載の放射線画像撮影装置。
【請求項３】
前記過去データは、前記撮影オーダー情報に対応したものであることを特徴とする請求項２に記載の放射線画像撮影装置。
【請求項４】
前記外部端末からの要求に応じて、当該要求に対応する内容のウェブコンテンツを生成するコンテンツ生成手段を備え、
前記通信手段は、前記コンテンツ生成手段が生成した前記ウェブコンテンツを前記外部端末に送信することが可能であることを特徴とする請求項１から３のいずれか一項に記載の放射線画像撮影装置。
【請求項５】
請求項１から４のいずれか一項に記載の放射線画像撮影装置と、
表示部を有するとともに、前記放射線画像撮影装置と通信可能に接続された外部端末と、を備えることを特徴とする放射線画像撮影システム。
【請求項６】
放射線を受けることで画像データを生成することが可能な放射線画像撮影装置と、表示部を有するとともに、放射線画像撮影装置と通信可能な外部端末と、を用いた画像表示方法であって、
前記放射線画像撮影装置に、外部から撮影オーダー情報を取得させるとともに、取得した撮影オーダー情報を生成した前記画像データとともに外部端末へ送信させ、
前記外部端末の前記表示部に、前記画像データに基づく放射線画像を、撮影オーダー情報とともに表示させることを特徴とする画像表示方法。
【発明の詳細な説明】
【技術分野】
【０００１】
本発明は、放射線画像撮影装置、この装置を備える放射線画像撮影システム、及びこの放射線画像撮影装置を用いた画像表示方法に関する。
【背景技術】
【０００２】
近年、可搬型の放射線画像撮影システムが開発されている。この可搬型の放射線画像撮影システムは、パネル状の放射線画像撮影装置（ＦＰＤ（Flat Panel Detector）とも称される）や、放射線照射装置が積載された回診車、ノート型ＰＣ等で構成された可搬型コンソール等で構成されるのが一般的である。このシステムを用いれば、ユーザー（放射線技師等）が撮影現場へ当該システムを持って出向き、その場で撮影・画像確認などの一連の操作を行うことができる。このため、移動することが困難な患者の放射線画像撮影を容易に行うことが可能となる。
【０００３】
しかし、可搬型の放射線画像撮影システムは高価であるため、撮影数が少ない小病院等では、それが導入の障壁となっている。そこで、専用の可搬型コンソールを用いないようにすることで、システムの製造コストを下げる試みがなされている。
例えば、パネル型の放射線画像撮影装置に、撮影した放射線画像を表示する表示部を備えるようにする技術が提案されている（特許文献１参照）。
また、可搬型コンソールの代わりに、据え置き型のコンソールから撮影オーダー情報を受信・保存することが可能な携帯端末を用い、移動先で携帯端末に表示された患者情報や撮影条件等を参照できるようにする技術（特許文献２参照）が提案されている。
【先行技術文献】
【特許文献】
【０００４】
【特許文献１】特開２０１０−０５１５２３号公報
【特許文献２】特開２０１６−１０１２１０号公報
【発明の概要】
【発明が解決しようとする課題】
【０００５】
特許文献１に記載された放射線画像撮影システムは、放射線画像撮影装置が、病院内ネットワークを介してコンソール等と通信するようになっており、通信ネットワークが整備されていない環境下では機能しない。また、特許文献１の放射線画像撮影装置は、表示部を一体のものとしているため、撮影の仕方によっては（例えば、ベッドとそこに横たわる患者との間に挟み込んで使用する場合等に）、表示部が確認しにくくなる場合がある。
【０００６】
また、特許文献２に記載された放射線画像撮影システムでは、携帯端末が撮影オーダー情報を保持するため、例えば、携帯端末の電池切れや故障等が起き、携帯端末を交換する必要が生じると、再度コンソールまで戻って撮影オーダー情報を取り込み直さなければならなくなる。
【０００７】
本発明は、上記問題点に鑑みてなされたもので、可搬型コンソールの代わりに携帯端末を用いる放射線画像撮影システムにおいて、通信ネットワークから切り離された環境下であっても、被写体の高精度のポジショニングや、撮影後の効率的な画像確認を可能とすることを目的とする。
【課題を解決するための手段】
【０００８】
上記課題を解決するため、本発明に係る放射線画像撮影装置は、
放射線を受けることで放射線の線量に応じた量の電荷を発生させる複数の放射線検知素子が二次元状に配列された基板を有する放射線検知部と、
前記複数の放射線検知素子がそれぞれ発生させた電荷量を信号値として読み出し、各信号値に基づいて画像データを生成する読み出し部と、
外部から入力された撮影オーダー情報及び前記読み出し部が生成した前記画像データを記憶する記憶部と、
前記画像データを外部端末に送信することが可能であるとともに、前記外部端末からの要求に応じて、前記オーダー情報を前記外部端末に送信する通信手段と、を備えることを特徴とする。
【発明の効果】
【０００９】
本発明によれば、通信ネットワークから切り離された環境下であっても、被写体の高精度のポジショニングや、撮影後の効率的な画像確認が可能となる。
【図面の簡単な説明】
【００１０】
【図１】本発明の実施形態に係る放射線画像撮影システムの概略構成図である。
【図２】図１の放射線画像撮影システムを構成する放射線画像撮影装置の構成を表すブロック図である。
【図３】図１の放射線画像撮影システムを構成する携帯端末の構成を表すブロック図である。
【図４】図３の携帯端末が有する表示部に表示されるリスト画面及びメイン画面の一例である。
【図５】図１の放射線画像撮影システムの動作を表すラダーチャートである。
【図６】同実施形態の変形例に係る放射線画像撮影システムを構成する携帯端末が有する表示部に表示されるメイン画面の一例である。
【図７】同変形例に係る放射線画像撮影システムの動作を表すラダーチャートである。
【発明を実施するための形態】
【００１１】
以下、図を参照して本発明の実施の形態について詳細に説明する。ただし、発明の範囲は、図示例に限定されるものではない。
【００１２】
〔放射線画像撮影システムの構成〕
まず、本実施形態に係る放射線画像撮影システム１００の構成について説明する。図１は、本実施形態の放射線画像撮影システム１００の概略構成図である。
本実施形態の放射線画像撮影システム１００は、図１に示したように、放射線照射装置１や、放射線画像撮影装置２、携帯端末３等で構成されている。
また、放射線画像撮影システム１００には、必要に応じて、コンソール４や、放射線科情報システム（Radiology Information System：ＲＩＳ）、画像保存通信システム（Picture Archiving and Communication System：ＰＡＣＳ）等に接続される。
【００１３】
放射線照射装置１は、ジェネレーター１１、放射線源１２、操作卓１３等を備えている。
ジェネレーター１１は、コンソール４によって設定された管電圧や管電流、照射時間（ｍＡｓ値）等に応じた電圧を放射線源１２に印加するようになっている。
放射線源１２は、放射線を生成可能な図示しない回転陽極や回転陽極に電子ビームを照射するフィラメント等を有しており、ジェネレーター１１から印加された電圧に応じた線量の放射線Ｘを発生させる。
操作卓１３は、ユーザー（放射線技師等）が操作可能な曝射スイッチを備えている。そして、操作卓１３は、曝射スイッチが操作されたことに基づいて、ジェネレーター１１に対し放射線の照射開始（電圧の印加）等を指示するようになっている。
放射線照射装置１は、回診車に組み込まれて、移動可能に構成されることもある。
【００１４】
放射線画像撮影装置２は、放射線照射装置１から放射線の照射を受けると、画像データを読み出すように構成されている。そして、読み出した画像データを携帯端末３やコンソール４へ送信するようになっている。
放射線画像撮影装置２は、撮影台と一体化された専用機型のものでも、可搬型（カセッテ型）のものであっても差し支えないが、放射線照射装置１を移動可能に構成する場合には、可搬型とすることが好ましい。
なお、放射線画像撮影装置２の詳細については後述する。
【００１５】
携帯端末３は、従来の可搬型コンソールに代わって放射線画像撮影装置２で撮影した放射線画像を確認するためのものであり、本発明における外部端末をなす。携帯端末３の構成は、特に限定されるものでは無いが、持ち運びができる市販のスマートフォンやタブレット端末等の携帯端末で構成するのが好ましい。
携帯端末３は、通信ネットワークを介すことなく一又は複数の放射線画像撮影装置２と通信可能に接続可能となっており、放射線画像撮影装置２から送信されてきた画像データに基づく表示用画像を表示可能となっている。
なお、この携帯端末３の詳細については後述する。
【００１６】
コンソール４は、可搬型のコンソールとは異なる据え置き型のものであり、例えば、放射線画像撮影装置２が専用の装置（クレードル）にセットされた場合等、コンソール４が放射線画像撮影装置２と物理的に接続された場合に、放射線画像撮影装置２と通信可能になる。なお、通信ネットワークが存在する環境下では、通信ネットワークを介して放射線照射装置１や放射線画像撮影装置２と通信可能としてもよい。
また、コンソール４は、外部装置（ＲＩＳ等）からの撮影オーダー情報（撮影対象の患者情報、撮影部位、撮影方向等）やユーザーによる操作に基づいて、放射線照射装置１や放射線画像撮影装置２の各種撮影条件（管電圧や管電流、照射時間、電流時間積等の放射線の照射に関する条件）を設定することが可能となっている。
【００１７】
〔放射線画像撮影装置の構成〕
次に、上記放射線画像撮影システム１００を構成する放射線画像撮影装置２の詳細について説明する。図２は、放射線画像撮影装置２のブロック図である。
放射線画像撮影装置２は、図２に示したように、制御部２１や、放射線検知部２２、読み出し部２３、通信部２４、記憶部２５等を備えて構成されており、各部２１〜２５はバス２６によって接続されている。また、図示しない内蔵電源から各部２１〜２５へ電力が供給されるようになっている。
【００１８】
制御部２１は、ＣＰＵ、ＲＡＭ等で放射線画像撮影装置２の各部の動作を統括的に制御するように構成されている。具体的には、電源スイッチが入れられたことや、放射線照射装置１やコンソール４から所定の制御信号を受信したこと、放射線照射装置１から放射線を受けたこと等に基づいて、記憶部２５に記憶されている各種処理プログラムを読み出してＲＡＭに展開し、当該処理プログラムに従って各種処理を実行する。
【００１９】
放射線検知部２２は、放射線を受けることで放射線の線量に応じた量の電荷を発生させる複数の放射線検知素子が二次元状に配列された基板を有するものであればよく、従来公知のものを用いることができる。
すなわち、放射線画像撮影装置２は、シンチレーターを備え、シンチレーターが放射線を受けることで発した光を検知するいわゆる間接型のものであってもよいし、シンチレーター等を介さずに放射線を直接検知するいわゆる直接型のものであってもよい。
また、放射線画像撮影装置２は、放射線照射装置１からの信号に基づいて電荷の蓄積を開始する連携方式のものであってもよいし、放射線照射装置１からの信号なしに自ら放射線の照射を検知して電荷の蓄積を開始する非連携方式のものであっても良い。
【００２０】
読み出し部２３は、複数の放射線検知素子がそれぞれ発生させた電荷量を信号値として読み出し、各信号値に基づいて画像データを生成することが可能に構成されていればよく、従来公知のものを用いることができる。
【００２１】
通信部２４は、Ethernet（有線）、Wi-fi、Bluetooth（登録商標）（以上無線）等の通信インターフェース等を備え、例えば、近距離無線通信等を用いて、ＬＡＮ（Local Area Network）、ＷＡＮ（Wide Area Network）、インターネット等の通信ネットワークから切り離された環境下であっても、外部機器との通信が可能となっている。
なお、通信ネットワークが整備された環境下では、当該通信ネットワークを介して接続された外部機器との間でデータの送受信を行えるようにしてもよい。また、外部機器と有線で接続できるようにしてもよい。また、コンソールとの通信用にＮＦＣ等の通信手段を別途設けてもよい。
【００２２】
記憶部２５は、ＨＤＤ（Hard Disk Drive）や半導体メモリー等により構成され、各種画像処理プログラムを含む各種処理プログラム、当該プログラムの実行に必要なパラメーターやファイル等を記憶している。
また、記憶部２５は、生成した画像データを管理するためのデータベースを有している。各画像データには、例えば、患者名、検査種類、日付等の所定の付帯情報が付帯され、各画像データの識別を行うことが可能となっている。
なお、撮影時のコメント等を画像データと紐付けて記憶することが可能に構成してもよい。
【００２３】
このように構成された放射線画像撮影装置２の制御部２１は、記憶部２５に記憶されている処理プログラムに従って以下のような動作をする。
例えば、制御部２１は、外部（携帯端末３）からの要求に応じて、通信部２４を用いて、撮影オーダー情報（予め保持しているもの又は外部から受信したもの）を外部に送信させることが可能となっている。すなわち、制御部２１や通信部２４は、本発明における通信手段をなす。
また、制御部２１は、通信部２４を用いて、生成した画像データを外部へ送信させることが可能となっている。なお、画像データの送信は、画像データが生成され次第自動で行うようにしてもよいし、外部からの送信の要求に基づいて行うようにしてもよい。また、画像データは分割して複数回に分けて送信するようにしてもよい。
【００２４】
また、制御部２１は、外部装置（ＲＩＳやコンソール）と接続された（専用の装置（クレードル等）にセットされた）場合に、通信部２４を用いて、外部装置から撮影オーダー情報を受信することが可能となっている。
また、制御部２１は、外部装置と接続された場合に、通信部２４を用いて、画像データを外部装置に送信することが可能となっている。
【００２５】
なお、制御部２１に、読み出し部２３が生成した画像データに対して所定の画像処理を実行し、少なくとも１種類の処理済画像データを生成する機能を持たせるようにしてもよい。
ここで実行される画像処理には、医師が診断に用いる診断用画像を生成するための処理であり、散乱線低減処理、ノイズ低減処理、周波数処理、階調処理、空間変換処理（回転／反転）、解像度変換処理（プレビュー用の間引き画像作成のための処理）等がある。なお、１の画像データに対して複数種類の画像処理を施す場合には、施した画像処理毎に処理済画像データ（例えばノイズ低減処理済画像データや、周波数処理済画像データ等）をそれぞれ生成する。また、処理済画像データに対して更に画像処理を施すようにしてもよい。
このようにすれば、簡易な処理を適用したプレビュー画像と画像確認に必要な処理を適用した診断画像を携帯端末３に表示させることが可能となる。
【００２６】
また、処理済画像データを記憶させる際には、制御部２１に、処理を適用したパラメーターを併せて記憶させる機能を持たせるようにしてもよい。こうすることで、同じ画像データに対して再度画像処理を行う必要が生じたときに、迅速に処理を行うことができる。
また、処理済画像データのうち、処理コストが小さいものについては、記憶部２５に記憶せずに、処理に用いるパラメーターだけ記憶しておくようにしてもよい。これは、処理コストが大きいものと比べたときに、その都度画像処理を行ってもそれほど手間にならない場合があるためであり、このようにすれば、放射線画像撮影装置２の記憶部２５の容量を節約することができる。
【００２７】
また、制御部２１に、通信部２４を用いて、撮影した各種画像処理プログラムを外部（携帯端末３）へ送信させる機能をもたせるようにしてもよい。こうすることで、外部での画像処理が可能となる。
また、画像処理プログラムを外部へ送信する機能を持たせる場合、制御部２１に、放射線画像撮影装置２と携帯端末３の処理性能を比較する機能を持たせるとともに、比較結果に基づいて、画像処理を放射線画像撮影装置２と携帯端末３のどちらで実行するかを判定する機能を持たせるようにしてもよい。
【００２８】
〔携帯端末の構成〕
次に、上記放射線画像撮影システム１００を構成する携帯端末３の詳細について説明する。図３は携帯端末３の構成を表すブロック図であり、図４は携帯端末が表示する画面の一例である。
携帯端末３は、図３に示したように、制御部３１や、通信部３２、記憶部３３、表示部３４、操作部３５等を備えて構成されており、各部３１〜３５はバス３６により接続されている。また、図示しない内蔵電源から各部３１〜３５へ電力が供給されるようになっている。
【００２９】
制御部３１は、ＣＰＵ、ＲＡＭ等で携帯端末３の各部の動作を統括的に制御するように構成されている。具体的には、操作部３５から操作信号が入力されたことや放射線画像撮影装置２から各種信号やデータを受信したことに基づいて、記憶部３３に記憶されている各種処理プログラムを読み出してＲＡＭに展開し、当該処理プログラムに従って各種処理を実行したり、表示部３４の表示内容を制御したりする。
【００３０】
通信部３２は、ＮＦＣ等の通信インターフェース等を備え、例えば、近距離無線通信等を用いて、通信ネットワークから切り離された環境下であっても、外部機器との通信が可能となっている。
なお、通信ネットワークが整備された環境下では、当該通信ネットワークを介して接続された外部機器との間でデータの送受信を行えるようにしてもよい。また、外部機器と有線で接続できるようにしてもよい。
【００３１】
記憶部３３は、ＨＤＤ（Hard Disk Drive）や半導体メモリー等により構成され、各種処理プログラム、当該プログラムの実行に必要なパラメーターやファイル等を記憶している。
また、記憶部２５は、放射線画像撮影装置２から送信されてきた撮影オーダー情報や放射線画像の各種画像データを記憶することが可能となっている。
【００３２】
表示部３４は、ＬＣＤ等のモニターを備えて構成されており、制御部３１から入力される表示信号の指示に従って各種画面を表示する。
【００３３】
操作部３５は、各種キーを備えたキーボードやマウス等のポインティングデバイス、あるいは表示部３４に積層されたタッチパネルを備えて構成され、キーボードに対するキー操作やマウス操作、あるいはタッチパネルに対するタッチ操作の位置に応じて入力された操作信号を制御部３１に出力する。
【００３４】
このように構成された携帯端末３の制御部３１は、記憶部３３に記憶されている処理プログラムに従って以下のような動作をする。
例えば、制御部３１は、表示部３４に、例えば図４（ａ）に示したような、撮影オーダー情報のリスト画面Ｌや、図４（ｂ）に示したような、中央部に表示用画像の画像表示領域Ｒを有するメイン画面Ｍを表示させることが可能となっている。
また、制御部３１は、通信部３２が受信した画像データに基づく各種表示用画像をメイン画面の画像表示領域Ｒ（表示部３４）に表示させることが可能となっている。
【００３５】
なお、リスト画面Ｌや、メイン画面Ｍ、及びそこに表示される表示用画像は、携帯端末３に別途インストールするコンソールアプリケーションによって表示されるものとしてもよいが、携帯端末３が元々有するブラウザで表示されるウェブコンテンツとするのが好ましい。ブラウザを用いると、外部装置（放射線画像撮影装置２）からウェブページを受信して表示するため、携帯端末３に対し、アプリケーション等の明示的なインストールが不要となる。その結果、携帯端末３の故障・バッテリー切れ等が発生しても、他の一般的な携帯端末で代用することが可能となる。更に、コンソール４や放射線画像撮影装置２のプログラム等の更新に伴う携帯端末３のアプリケーション更新といったメンテナンスも不要となる。
【００３６】
ブラウザで表示用画像を表示する場合、放射線画像撮影装置２をウェブサーバーとして機能させる必要があるので、放射線画像撮影装置２の記憶部２５には、ウェブサーバープログラムや、ウェブアプリケーションプログラム等を記憶させることになる。
また、ブラウザで表示用画像を表示する場合には、放射線画像撮影装置２が、携帯端末３からの要求に応じて、画像データから表示用画像のウェブコンテンツを生成し、それを携帯端末３に送信することとなる。この場合、制御部２１は、本発明におけるコンテンツ生成手段をなす。
【００３７】
また、放射線画像撮影装置２から処理プログラムを受信するように構成する場合には、処理プログラムに、放射線画像撮影装置２から受信した画像データにゲイン補正、オフセット補正、あるいは欠陥補正等の画像補正を行う機能を持たせる処理を含めるようにしてもよい。このようにすれば、放射線画像撮影装置２毎に生じる画像データの個体差を補正することができる。これらの画像補正は、放射線画像撮影装置２で行ってもよい。
また、処理プログラムに、一度取得した処理プログラムをブラウザ内にキャッシュしたり、バージョンが異なる場合のみ処理プログラムを再取得したりする処理を含めるようにしてもよい。このようにすれば、同じ画像処理を行う場合に、処理プログラムの受信の必要がなくなるので、表示の迅速化の観点から好ましい。
【００３８】
また、処理プログラムに、処理の重要度や処理コストに応じて、実行する画像処理を一部省略する、もしくは一部の処理の実行を放射線画像撮影装置２に差し戻す処理を含めるようにしてもよい。このようにすれば、携帯端末３の制御部３１に過度の負担がかかるのを防ぐことができる。
また、処理プログラムに、ブラウザ終了あるいは撮影終了の操作に基づいて、記憶部３３に記憶されている画像データやパラメーターを消去する処理を含めるようにしてもよい。このようにすれば、撮影終了後は、携帯端末３に患者の個人情報が残らなくなるので、セキュリティの観点から好ましい。
【００３９】
〔放射線画像撮影システムの動作〕
次に、放射線画像撮影システム１００の動作について、コンソール４を併用する場合を例に説明する。図５は放射線画像撮影システム１００を用いた放射線画像撮影から表示までの流れを表すラダーチャートである。
【００４０】
図５に示したように、まず、ユーザーが、準備を開始、すなわち、放射線画像撮影装置２をコンソール４に接続し（クレードルにセットし）、コンソール４に撮影オーダー情報を取り込む操作を行うと（ステップＳ１）、コンソール４が一又は複数の撮影オーダー情報からなる検査リストを放射線画像撮影装置２へ送信する（ステップＳ２）。
なお、このステップＳ２においては、放射線画像撮影装置２とコンソール４との間でＮＦＣ等による通信を行うことにより、オーダー情報を放射線画像撮影装置２に取り込むようにしてもよい。
【００４１】
その後、ユーザーが、携帯端末３の操作部３５を介して検査リストの表示開始を指示すると（ステップＳ３）、携帯端末３が放射線画像撮影装置２に検査リストを要求する信号を送信する（ステップＳ４）。そして、放射線画像撮影装置２が検査リストを携帯端末３へ送信する（ステップＳ５）。そして、携帯端末３が撮影オーダー情報の一覧である検査リスト（図４（ａ）参照）を表示部３４に表示する（ステップＳ６）。
なお、検査リストをブラウザで表示する場合には、ステップＳ３の後、ステップＳ４において、携帯端末３が放射線画像撮影装置２に検査リストのウェブページを要求する信号を送信する。そして、放射線画像撮影装置２が撮影オーダー情報に基づいてウェブページを作成し（ステップＳ４ａ）、ステップＳ５において、それを携帯端末３へ送信することで、検査リストの表示が開始される。
【００４２】
その後、ユーザーが、検査リストの中から撮影オーダー情報を選択すると（ステップＳ７）、携帯端末３が選択された撮影オーダー情報に対応する画像を表示するためのメイン画面Ｍ（図４（ｂ）参照）を表示部３４に表示する（ステップＳ８）。
なお、メイン画面Ｍをブラウザで表示する場合には、ステップＳ７の後、携帯端末３が放射線画像撮影装置２にメイン画面Ｍのウェブページを要求する信号を送信する（ステップＳ１７ａ）。そして、放射線画像撮影装置２が撮影オーダー情報に基づいてウェブページを作成し（ステップＳ１７ｂ）、それを携帯端末３へ送信する（ステップＳ１７ｃ）ことで、メイン画面Ｍの表示（ステップＳ８）が開始される。
【００４３】
その後、ユーザーがメイン画面Ｍに表示された、患者名や撮影条件等を確認し（ステップＳ９）、撮影操作、すなわち曝射スイッチを押下すると（ステップＳ１０）、放射線照射装置１が患者（放射線画像撮影装置２）へ放射線を照射し、放射線画像撮影装置２が撮影（画像データの生成）を行い（ステップＳ１１）、画像データを記憶部３３に記憶する（ステップＳ１２）。そして、画像データを携帯端末３へ送信する（ステップＳ１３）。なお、放射線画像撮影装置２が画像処理機能を備えている場合には、ステップＳ１２に前後して又はステップＳ１２と並行して画像処理を行う（ステップＳ１１ａ）。
【００４４】
その後、携帯端末３が画像データを受信すると、画像データを記憶部３３に記憶する（ステップＳ１４）。そして、画像データに基づく放射線画像を表示部３４に表示する（ステップＳ１５）。
なお、携帯端末３が画像処理機能を備えている場合には、ステップＳ１４に前後して又はステップＳ１４と並行して、放射線画像撮影装置２から受信した画像データに所定の画像処理を施し、（ステップＳ１４ａ）、ステップＳ１５と並行又は前後して、処理済画像データを放射線画像撮影装置２へ送信する（ステップＳ１５ａ）。
【００４５】
その後、ユーザーが携帯端末３に表示された放射線画像を確認する（ステップＳ１６）。ここで、処理済画像を確認したユーザーが、画像の調整が必要であると判断する場合がある。そのような場合、ユーザーが、携帯端末３の操作部３５を介して処理済画像に対する画像調整を指示すると（ステップＳ１６ａ）、携帯端末３が、調整パラメーターの更新を受けて、処理済画像データの再処理（調整）を行う（ステップＳ１６ｂ）。そして、画像調整によって得られた調整済画像データに基づく調整済画像を表示部３４に表示し（ステップＳ１６ｃ）、調整済画像データを放射線画像撮影装置２に送信する（ステップＳ１６ｄ）。
なお、画像の調整は、放射線画像撮影装置２で行うようにしてもよい。
【００４６】
放射線画像の確認を終えたユーザーが、携帯端末３の操作部３５を介してメイン画面Ｍの終了を指示すると（ステップＳ１７）、携帯端末３が、表示部３４に表示されていたメイン画面Ｍを閉じる（ステップＳ１８）。なお、携帯端末３が画像データの消去機能を備えている場合には、ステップＳ１８の後に、記憶部３３に記憶されていた画像データを消去する（ステップＳ１８ａ）。こうすることで、携帯端末３の盗難・紛失があったとしても、患者情報が流出しないので、セキュリティ面の観点から好ましい。なお、このようにしても、画像データが放射線画像撮影装置２に残されているので、ここで、ユーザーから再び放射線画像の表示を指示されても、迅速に画像を表示することができる。
【００４７】
撮影後、ユーザーが放射線画像撮影装置２を専用の装置（クレードル）にセットすると、放射線画像撮影装置２が記憶している各種画像データをコンソール４へ送信する（ステップＳ１９）。
なお、ここでは、放射線画像撮影装置２からコンソール４へのデータを送信することとしたが、携帯端末３からコンソール４へ各種画像データを送信する構成としてもよい。
また、放射線画像撮影装置２とコンソール４との間でＮＦＣ等による通信を行うことにより、各種画像データをコンソール４に取り込むようにしてもよい。
その後、コンソール４が画像データを受信すると、受信した画像データに基づく放射線画像を表示部に表示する（ステップＳ２０）。そして、ユーザーが画像の状態を確認し、再撮影の可否を判断する（ステップＳ２１）。こうして、一連の撮影が終了する。
【００４８】
（変形例）
なお、本実施形態に係る放射線画像撮影システムにおいては、携帯端末３に、撮影したばかりの現在画像の他、過去に撮影した（コンソール等に記憶されていた）過去画像を表示する機能を持たせるようにしてもよい。また、場合によって（例えば同一被写体の過去画像が存在しない場合等）撮影時に参考となる参考情報を表示する機能を持たせるようにしてもよい。
【００４９】
具体的には、放射線画像撮影装置２の記憶部２５に、過去画像データや参考情報データを記憶するための領域を設けるとともに、制御部２１に、通信部２４を用いて、外部（携帯端末３）に過去画像データや参考情報データを送信する機能を持たせる。
また、携帯端末３の制御部３１に、例えば図６（ａ）に示したように、メイン画面Ｍの画像表示領域Ｒの一部（例えば下半分）に、過去画像Ｉｐを表示させ、残りの部分（例えば上半分）に、新たに撮影した現在画像Ｉｃを表示させる機能を持たせる。
また、図示は省略するが、メイン画面Ｍの画像表示領域Ｒに、見本となる撮影画像及び処理パラメーターを表示させたり、放射線画像ではなく、ポジショニング図を表示させたりする機能を携帯端末３の制御部３１に持たせる。
【００５０】
なお、過去画像は、同一の被写体を撮影したものであればよく、必ずしも撮影オーダー情報と紐づけられている（撮影部位や方向、放射線照射条件が同じ）である必要は無い。
また、画像処理を行う際に、指定した過去画像から処理パラメーターを引き継ぐ（自動適用又は手動で調整）ことができるようにしてもよい。
また、複数の過去画像データを記憶する場合には、過去画像リストを表示するようにし、更に、リストの中から過去画像Ｉｐが選択されたことに基づいて表示する過去画像Ｉｐを切り替えるようにしてもよい。
また、過去画像Ｉｐと併せて過去の撮影条件や処理パラメーターＰを表示（オーバーレイ表示等）するようにしてもよい。オーバーレイ表示を行う場合には、過去画像からのパラメーター自動引継ぎ時と手動調整時とで、オーバーレイ表示等の視認性を変えるようにしてもよい。
また、複数の撮影（例えば、胸部と腹部の撮影）を行う場合に、今回撮影した胸部の画像と、過去に撮影した腹部画像を合わせて表示したり、メイン画面Ｍの画像表示領域Ｒを４分割（撮影部位の数の２倍に分割）して、胸部の現在画像Ｉｃと過去画像及び腹部の現在画像Ｉｃと過去画像を同時に表示したりするようにしてもよい。
【００５１】
次に、過去画像表示機能を持たせた場合の放射線画像撮影システム１００の動作について、コンソール４を併用する場合を例に説明する。図７は本実施形態の変形例に係る放射線画像撮影システム１００を用いた放射線画像撮影から表示までの流れを表すラダーチャートである。
【００５２】
図７に示したように、まず、ユーザーが、準備を開始、すなわち、放射線画像撮影装置２をコンソール４に接続し（クレードルにセットし）、コンソール４に撮影オーダー情報を取り込む操作を行うと（ステップＳ１）、コンソール４が選択された撮影オーダー情報に対応する一又は複数の過去画像を取得し（ステップＳ１Ａ）、撮影オーダー情報及び過去画像を放射線画像撮影装置２へ送信する（ステップＳ２Ａ）。
その後、ステップＳ３からステップＳ７までの流れは、上記実施形態と同様である。
【００５３】
ステップＳ７で、ユーザーが、検査リストの中から撮影オーダー情報を選択すると、携帯端末３が放射線画像撮影装置２に対応する過去画像を要求する信号を送信する（ステップＳ７Ａ。そして、放射線画像撮影装置２が過去画像を携帯端末３へ送信し（ステップＳ７Ｂ）、携帯端末３が表示部３４に選択された撮影オーダー情報に対応する画像を表示するためのメイン画面Ｍを表示する（ステップＳ８）。このとき、メイン画面Ｍの画像表示領域Ｒの中に過去画像Ｉｐ（図６（ａ）参照）を表示する。
なお、放射線画像をブラウザで表示する場合には、ステップＳ７Ａにおいて、携帯端末３が放射線画像撮影装置２に放射線画像のウェブページを要求する信号を送信する。そして、放射線画像撮影装置２がウェブページの作成を行い（ステップＳ７ａ）、ステップＳ７Ｂにおいて、それを携帯端末３へ送信することで、メイン画面Ｍの表示（ステップＳ８）が開始される。
【００５４】
その後、ユーザーがメイン画面Ｍに表示された、患者名や撮影条件等を確認する（ステップＳ９）。このとき、過去画像Ｉｐも表示されるので、過去にどのような撮影を行ったのかを参考にしながら、撮影条件を設定したり、患者のポジショニングを行ったりすることができる。
その後、ステップＳ１０からステップＳ１４までの流れは、上記実施形態と同様である。
【００５５】
その後、携帯端末３が画像データを記憶すると、画像データに基づく現在画像Ｉｃを表示部３４に表示する（ステップＳ１５Ａ）。このとき、過去画像Ｉｐを現在画像Ｉｃと併せて（図６（ｂ）参照）表示する。そして、ユーザーは、表示部に表示された画像Ｉｃ，Ｉｐを確認する（ステップＳ１６）
こうすることで、今回撮影した画像と、過去に同様の条件で撮影した画像とを比較することができるので、再撮影の可否を容易に判断することができる。
【００５６】
その後、ユーザーが放射線画像の再撮影が必要と判断し、携帯端末３の操作部３５を介して再撮影の表示開始を指示すると（ステップＳ１６ｅ）、携帯端末３が追加オーダーを要求する信号を放射線画像撮影装置２へ送信する（ステップＳ１６ｆ）。そして、放射線画像撮影装置２が追加オーダーを生成し（ステップＳ１６ｇ）、上述したステップＳ１１からステップＳ１５Ａまでの流れを繰り返す。ユーザーが再撮影した放射線画像を確認した結果、問題なく撮影できたと判断した場合には、ステップＳ１７に進む。ステップＳ１７以降の流れは、上記実施形態と同様である。
【００５７】
以上のように、本実施形態の放射線画像撮影システム１００の放射線画像撮影装置２は、放射線を受けることで放射線の線量に応じた量の電荷を発生させる複数の放射線検知素子が二次元状に配列された基板を有する放射線検知部２２と、複数の放射線検知素子がそれぞれ発生させた電荷量を信号値として読み出し、各信号値に基づいて画像データを生成する読み出し部２３と、外部から入力された撮影オーダー情報及び読み出し部２３が生成した画像データを記憶する記憶部２５と、画像データを携帯端末３（外部端末）に送信することが可能であるとともに、携帯端末３からの要求に応じて、撮影オーダー情報を携帯端末３に送信する通信手段と、を備える。
【００５８】
こうすることで、携帯端末３の表示部３４に過去画像Ｉｐが表示されるので、過去にどのような撮影を行ったのかを参考にしながら、撮影条件を設定したり、患者のポジショニングを行ったりすることができるし、今回撮影した現在画像Ｉｃと、過去に同様の条件で撮影した過去画像Ｉｐとを比較することができるので、再撮影の可否を容易に判断することができる。
その結果、通信ネットワークから切り離された環境下であっても、被写体の高精度のポジショニングや、撮影後の効率的な画像確認が可能となる。
【符号の説明】
【００５９】
１００  放射線画像撮影システム
１  放射線照射装置
１１  ジェネレーター
１２  放射線源
１３  操作卓
２  放射線画像撮影装置
２１  制御部
２２  放射線検知部
２３  読み出し部
２４  通信部
２５  記憶部
２６  バス
３  携帯端末（外部端末）
３１  制御部（通信手段、コンテンツ生成手段）
３２  通信部（通信手段）
３３  記憶部
３４  表示部
３５  操作部
３６  バス
４  コンソール
Ｉｃ  現在画像（表示用画像）
Ｉｐ  過去画像（表示用画像）
Ｍ  メイン画面
Ｐ  パラメーター
Ｒ  画像表示領域
Ｘ  放射線
【図１】
2019017626.tif 000003
【図２】
2019017626.tif 000004
【図３】
2019017626.tif 000005
【図４】
2019017626.tif 000006
【図５】
2019017626.tif 000007
【図６】
2019017626.tif 000008
【図７】
2019017626.tif 000009